(57)【要約】【課題】  カバー体を簡単に且つ歪みなく正しい向きに着脱できるマッサージ機を提供すること。【解決手段】  マッサージ機本体１に設けられた掛部６に引っ掛けるための折り返し部10が一端側である前部に形成されたカバー体７を有し、このカバー体の他端側である後部に設けた着脱手段としての面ファスナー11に対応して、前記マッサージ機本体１側である内側カバー体４の後方に受手段である面ファスナー５を設けたことで、前記カバー体７の折り返し部10を前記掛部６に引っ掛けて後方に引っ張り、前記面ファスナー11を面ファスナー５に固定することで、前記カバー体７をマッサージ機本体１側に対して正しい向きで簡単に取り付けることができるばかりでなく、前記カバー体７に対して均一にテンションを与えやすいので、このカバー体７が歪まない状態で前記マッサージ機本体１側に取り付けられるようにすることができる。【選択図】  図３
2005065974.tif 000002
【特許請求の範囲】
【請求項１】
施療部を有するマッサージ機本体と、前記施療部を覆うように前記マッサージ機本体に対して着脱自在に取り付けられるカバー体とを有するマッサージ機において、前記カバー体の少なくとも一端側に折り返し部を形成し、前記カバー体の他端側に着脱手段を設けると共に、前記マッサージ機本体に、前記折り返し部を引っ掛けるための掛部を設け、前記マッサージ機本体側に、前記着脱手段に対応してこれを受けるための受手段を設けたことを特徴とするマッサージ機。
【請求項２】
前記カバー体の一端側から側端側に亘って連続して前記折り返し部を形成すると共に、この折り返し部に対応して前記マッサージ機本体に前記掛部を設けたことを特徴とする請求項１記載のマッサージ機。
【請求項３】
前記折り返し部の内端縁に第二の折り返し部を形成すると共に、この第二の折り返し部に紐を挿通したことを特徴とする請求項２記載のマッサージ機。
【発明の詳細な説明】
【技術分野】
【０００１】
本発明は、施療部を覆う着脱可能なカバーを有するマッサージ機に関するものである。
【背景技術】
【０００２】
従来、この種のマッサージ機としては、ハウジングの開口部に位置するマッサージ体を覆う第一保護カバーを設けると共に、この第一保護カバーを更に覆う第二保護カバーを着脱自在に設けたものが知られている（例えば、特許文献１参照。）。そして、前記第一保護カバー又は第二保護カバーに面ファスナーが設けられることで、前記第二保護カバーは第一保護カバーに対して着脱自在となっている。そして、第二保護カバーが汚れたり破損したりした場合、この第二保護カバーを第一保護カバーから簡単に取り外すことができるので、前記第二保護カバーを洗浄したり新しい第二保護カバーに交換したりすることが簡単にできる。
【特許文献１】特開平１１−３４７０８３号公報
【発明の開示】
【発明が解決しようとする課題】
【０００３】
しかしながら、このようなマッサージ機においては、前記第二保護カバーを取り付ける際に、曲がって取り付けられてしまったり、歪んで取り付けられてしまったりすることが起こりがちであった。これは、前記第一保護カバーと第二保護カバーとの間で位置決めのための手段が設けられていないことと、前記第二保護カバーを取り付ける際に、この第二保護カバーに対して均等にテンションを与えることが困難であるためである。そして、このように前記第二保護カバーが曲がって取り付けられると、本来、前記第二保護カバーで覆われる第一保護カバーが露出してしまい、この第一保護カバーが汚れてしまう虞があった。また、前記第二保護カバーが歪んで取り付けられると、この第二保護カバーに余計な皺が寄ってしまい、この状態でマッサージを行うと、マッサージによる応力が皺になっている部分に多く加わるので、前記第二保護カバーが破損し易くなるばかりでなく、マッサージ中に皺になっている部分が患部に当たることで、使用者が違和感を覚えてしまう虞があった。
【０００４】
本発明は以上の問題点を解決し、カバー体を簡単に且つ歪みなく正しい向きに着脱できるマッサージ機を提供することを目的とする。
【課題を解決するための手段】
【０００５】
本発明の請求項１に記載のマッサージ機は、施療部を有するマッサージ機本体と、前記施療部を覆うように前記マッサージ機本体に対して着脱自在に取り付けられるカバー体とを有するマッサージ機において、前記カバー体の少なくとも一端側に折り返し部を形成し、前記カバー体の他端側に着脱手段を設けると共に、前記マッサージ機本体に、前記折り返し部を引っ掛けるための掛部を設け、前記マッサージ機本体側に、前記着脱手段に対応してこれを受けるための受手段を設けたものである。
【０００６】
また、本発明の請求項２に記載のマッサージ機は、請求項１において、前記カバー体の一端側から側端側に亘って連続して前記折り返し部を形成すると共に、この折り返し部に対応して前記マッサージ機本体に前記掛部を設けたものである。
【０００７】
更に、本発明の請求項３に記載のマッサージ機は、請求項２において、前記折り返し部の内端縁に第二の折り返し部を形成すると共に、この第二の折り返し部に紐を挿通したものである。
【発明の効果】
【０００８】
本発明の請求項１に記載のマッサージ機は、以上のように構成することにより、カバー体に形成された折り返し部をマッサージ機本体に設けられた掛部に引っ掛けた後、カバー体の他端側を引っ張りながら、このカバー体の他端側に設けられた着脱手段を前記マッサージ機本体側に設けられた受手段で受けることで、前記カバー体をマッサージ機本体側に対して正しい向きで簡単に取り付けることができるばかりでなく、前記カバー体を取り付ける際に、このカバー体に対して均一にテンションを与えやすいので、このカバー体が歪んだ状態で取り付けられないようにすることができる。また、前記カバー体の他端側に設けられた着脱手段を前記マッサージ機本体側に設けられた受手段から離すことで、前記カバー体をマッサージ機本体側から簡単に取り外すことができる。
【０００９】
また、本発明の請求項２に記載のマッサージ機は、以上のように構成することにより、前記カバー体の一端側の折り返し部のみならず、側端側の折り返し部も前記掛部に引っ掛けられるので、前記カバー体を前記マッサージ機本体側に対してより確実に保持させることができる。
【００１０】
更に、本発明の請求項３に記載のマッサージ機は、以上のように構成することにより、前記第二の折り返し部に挿通された紐の両端をそれぞれ縫着等によって固定することで、前記折り返し部の内端縁が広がりにくくなるので、前記折り返し部が掛部から外れにくくなり、これによって、前記カバー体を前記マッサージ機本体側に対してより確実に保持させることができる。
【発明を実施するための最良の形態】
【００１１】
前記カバー体の一端側及び他端側は、前記施療部の種類によって規定される。例えば、前記施療部がローラー式や揉み式のマッサージユニットである場合、前記カバー体の一端側及び他端側は、前記施療部の回転方向の上流側が一端側、下流側が他端側となるように規定されることが望ましいが、前記施療部が叩き式や振動式のマッサージユニットである場合、前記カバー体の一端側及び他端側は、前記マッサージ機本体の形状に合わせて任意に規定すればよい。
【実施例】
【００１２】
以下、本発明の実施例について、図１乃至図６に基づいて説明する。１はマッサージ機本体である。このマッサージ機本体１は、そのハウジング２の上部から後部に亘って開口部３が形成されている。そして、この開口部３に図示しない施療部が位置すると共に、この施療部を覆うように、布製の内側カバー体４が取り付けられている。なお、この内側カバー体４の後部表面には、受手段としての面ファスナー５が縫着等によって取り付けられている。また、前記ハウジング２の開口部３の前方から左右前側方に亘って、掛部６が形成されている。この掛部６は、図４及び図６に示すように、前方及び左右側方に突出する顎部６Ａによって、断面が略フック状となるように形成されている。
【００１３】
そして、前記内側カバー体４を覆うように、カバー体７が着脱自在に取り付けられている。このカバー体７は、図５に示すように、布によって略方形に形成された上面生地８の一端側である前部から側端側である左右側部に亘って折り返し片９を縫着することで折り返し部10が形成されていると共に、前記上面生地８の他端側である後部に着脱手段としての面ファスナー11が取り付けられている。なお、前記折り返し部10と面ファスナー11は、前記上面生地８の同じ側の面に設けられている。また、前記カバー体７は、前記折り返し部10が形成された前部から左右前側部に亘り、前記掛部６に丁度嵌って位置決めされるように形成されている。更に、前記折り返し部10の内端縁には第二の折り返し部12が形成されている。この第二の折り返し部12は、図５及び図６に示すように、内部に紐13が挿通されていると共に、この紐13の両端が、それぞれ前記カバー体７に縫着されている。
【００１４】
次に、本発明の作用について説明する。なお、以下で言うマッサージ機本体１側とは、前記マッサージ機本体１自身、及び、前記マッサージ機本体１とカバー体７との間に設けられた要件を指すものであり、この場合、前記マッサージ機本体１の他に前記内側カバー体４もマッサージ機本体１側となる。まず使用者は、前記カバー体７を前記マッサージ機本体１側に取り付ける。詳述すると、まず使用者は、前記カバー体７の折り返し部10を前記マッサージ機本体１の掛部６に引っ掛ける。このとき、前述したように、前記カバー体７が、前記折り返し部10が形成された前部から左右前側部に亘り、前記掛部６に丁度嵌って位置決めされるように形成されているので、前記掛部６に折り返し部10を引っ掛けることで、前記カバー体７の前部から左右前側部に亘る部位が前記マッサージ機本体１に対して位置決めされる。そして使用者は、前記カバー体７の後部を把持して後方に引っ張り、前記カバー体７の後部に設けられた面ファスナー11を前記マッサージ機本体１側である内側カバー体４に設けられた面ファスナー５に対して固定する。このとき、前述したように、前記掛部６に対して前記カバー体７の前部から左右前側部に亘る部位が前記マッサージ機本体１に対して位置決めされていることで、前記カバー体７の前部の左右端が支持されたような状態となっているので、使用者が前記カバー体７の後部の左右端を両手で把持して、それぞれを斜め後方に引っ張ることで、前記カバー体７に対して均等にテンションが与えられ、この状態で前記カバー体７がマッサージ機本体１側に取り付けられる。そして、このようにして前記カバー体７をマッサージ機本体１側に取り付けることで、少なくとも前記カバー体７の前部から左右前側部に亘る部位が位置決めされているので、前記カバー体７のマッサージ機本体１側に対する位置合わせを行い易くすることができるばかりでなく、前記カバー体７に対して均等にテンションが与えられているので、このカバー体７を前記マッサージ機本体１側に取り付ける際に、前記カバー体７が歪んだ状態で前記マッサージ機本体１側に取り付けられることが防止される。更に、前記折り返し部10の内端縁に第二の折り返し部12が形成され、この第二の折り返し部12に挿通された前記紐13の両端がそれぞれ前記カバー体７に縫着等によって固定されているので、前記カバー体７をマッサージ機本体１側に取り付けるために前記カバー体７を後方に引っ張ったとしても、前記折り返し部10の内端縁が広がることが前記紐13によって妨げられるので、前記折り返し部10が前記掛部６から外れにくく、これによって、前記カバー体７を前記マッサージ機本体１側に対してより確実に保持させることができる。
【００１５】
そして、前記カバー体７が被せられた図示しない施療部に人体の被施療部を当接させ、前記施療部を作動させることによって、この施療部の動きが前記内側カバー体４及びカバー体７を介して被施療部に伝わり、この被施療部がマッサージされる。
【００１６】
マッサージを繰り返すことで、前記カバー体７が汚れたり破損したりした場合、このカバー体７を洗浄するために、或いは新しいカバー体７と交換するために、このカバー体７を前記マッサージ機本体１側から取り外す。詳述すると、まず使用者は、前記カバー体７の後部に設けられた面ファスナー11を、前記マッサージ機本体１側である内側カバー体４の後方に設けられた面ファスナー５から剥がす。更に、前記カバー体７の前部を持って前方に引っ張ることで、前記折り返し部10が掛部６から外れる。このようにして、前記カバー体７が前記マッサージ機本体１側から取り外される。そして、取り外された前記カバー体７を洗浄したり、新しい前記カバー体７を用意したりした後、このカバー体７を再び前記マッサージ機本体１側に取り付ける。なお、取り付け方は前述した通りである。
【００１７】
以上のように本発明は、マッサージ機本体１に設けられた掛部６に引っ掛けるための折り返し部10が一端側である前部に形成されたカバー体７を有し、このカバー体の他端側である後部に設けた着脱手段としての面ファスナー11に対応して、前記マッサージ機本体１側である内側カバー体４の後方に受手段である面ファスナー５を設けたことで、前記カバー体７の折り返し部10を前記掛部６に引っ掛けて後方に引っ張り、前記面ファスナー11を面ファスナー５に固定することで、前記カバー体７をマッサージ機本体１側に対して正しい向きで簡単に取り付けることができるばかりでなく、前記カバー体７に対して均一にテンションを与えやすいので、このカバー体７が歪まない状態で前記マッサージ機本体１側に取り付けられるようにすることができるものである。また本発明は、前記折り返し部10を、前記カバー体７の一端側である前部から側端側である左右側部に亘って連続して形成すると共に、この折り返し部10に対応して前記マッサージ機本体１の施療部の前方から左右前側方に亘って前記掛部６を設けたことで、前記折り返し部10が後方のみならず、左右方向に対しても前記掛部６に引っ掛けられるので、前記カバー体７を前記マッサージ機本体１側に対してより確実に保持させることができるものである。更に本発明は、前記折り返し部10の内端縁に第二の折り返し部12を形成し、この第二の折り返し部12に紐13を挿通したものであり、前記第二の折り返し部12に挿通された紐13の両端をそれぞれ前記カバー体７に固定することで、前記折り返し部10の内端縁が広がりにくくなるので、前記折り返し部10が掛部６から外れにくくなり、これによって、前記カバー体７を前記マッサージ機本体１側に対してより確実に保持させることができるものである。
【００１８】
なお、本発明は以上の実施例に限定されるものではなく、発明の要旨の範囲内で種々の変形が可能である。例えば、前記実施例では、受手段を内側カバー体に取り付けているが、内側カバー体の表面をパイル状に形成することで内側カバー体自体を受手段としても良く、また、受手段をマッサージ機本体のケーシングに取り付けても良い。また、前記実施例では、受手段及び着脱手段をそれぞれ面ファスナーとしたが、面ファスナー以外の構造を用いても良い。更に、前記実施例では、紐を縫着によってカバー体に固定したが、縫着以外の固定方法を用いても良く、また、紐の端部を固定せず、この紐の端部に結び目を作ることで第二の折り返し部から抜けないようにしても良い。
【図面の簡単な説明】
【００１９】
【図１】本発明の一実施例を示すマッサージ機の平面図である。
【図２】同上、背面図である。
【図３】同上、カバー体を取り外した状態の平面図である。
【図４】同上、カバー体を取り外した状態の背面図である。
【図５】同上、カバー体の底面図である。
【図６】同上、要部の拡大断面図である。
【符号の説明】
【００２０】
１  マッサージ機本体
４  内側カバー体（マッサージ機本体側）
５  面ファスナー（受手段）
６  掛部
７  カバー体
10  折り返し部
11  面ファスナー（着脱手段）
12  第二の折り返し部
13  紐
【図１】
2005065974.tif 000003
【図２】
2005065974.tif 000004
【図３】
2005065974.tif 000005
【図４】
2005065974.tif 000006
【図５】
2005065974.tif 000007
【図６】
2005065974.tif 000008